(57)【要約】【課題】簡単な手順で正確な相手先ＦＡＸ番号等のデータを入力できるファクシミリ装置を提供する。【解決手段】ファクシミリ装置１で、ＰＣ端末装置２０からＬＡＮ４０を経由して転送された相手先ＦＡＸ番号と相手先名称のデータを入力し（ＳＴ１，ＳＴ２）、このデータを専用キー用メモリー８ａに一時的に格納する（ＳＴ３）。その状態で専用キー５ａの操作が行なわれたら、専用キー用メモリー８ａに格納されている相手先ＦＡＸ番号へのダイヤル動作を行い、当該相手先へファクシミリ送信を行う（ＳＴ６）。相手先へのファクシミリ送信が成功したら（ＳＴ７）、当該相手先のＦＡＸ番号を短縮登録するか否かの指示を受け付け（ＳＴ９）、短縮登録する旨の指示が入力された場合（ＳＴ１０）は、専用キー用メモリー８ａに格納されているデータを、短縮キー用メモリー９ａに格納する（ＳＴ１１）。【選択図】図４
2007288453.tif 000002
【特許請求の範囲】
【請求項１】
通信ネットワークを介して他の端末装置と接続され、前記他の端末装置からデータを受信するデータ受信機能を備えたファクシミリ装置において、
ファクシミリ送信動作を開始する専用キーと、相手先ＦＡＸ番号のデータを格納する専用キー用メモリーとを備え、前記専用キーが押されることにより、前記専用キー用メモリーに格納された相手先ＦＡＸ番号へのファクシミリ送信動作を開始するように構成すると共に、
前記通信ネットワークを介して他の端末装置から入力された相手先ＦＡＸ番号のデータを前記専用キー用メモリーに格納する制御手段を備えたことを特徴とするファクシミリ装置。
【請求項２】
請求項１に記載のファクシミリ装置において、
登録された相手先ＦＡＸ番号へのファクシミリ送信動作を開始する短縮キーと、前記短縮キーに登録されている相手先ＦＡＸ番号のデータを格納する短縮キー用メモリーとを備えると共に、
前記制御手段は、前記専用キー用メモリーに格納されている相手先ＦＡＸ番号のデータを前記短縮キー用メモリーに格納して、前記相手先ＦＡＸ番号を前記短縮キーに登録することを特徴とするファクシミリ装置。
【請求項３】
請求項２に記載のファクシミリ装置において、
前記制御手段は、前記専用キーが押された際に、前記専用キー用メモリーに格納されている相手先ＦＡＸ番号へのファクシミリ送信を行い、
当該ファクシミリ送信が成功した場合に、前記専用キー用メモリーに格納されている相手先ＦＡＸ番号のデータを前記短縮キー用メモリーに格納することを特徴とするファクシミリ装置。
【請求項４】
請求項１乃至３のいずれかに記載のファクシミリ装置において、
前記他の端末装置は、前記ファクシミリ装置にＬＡＮを介して接続されたパーソナルコンピュータ端末装置であることを特徴とするファクシミリ装置。
【発明の詳細な説明】
【技術分野】
【０００１】
本発明は、ＬＡＮ等の通信ネットワークを介して他の端末装置と接続されたファクシミリ装置に関するものである。
【背景技術】
【０００２】
従来のファクシミリ装置では、ファクシミリ装置の操作パネルに設けられたテンキー等の入力キーで相手先ＦＡＸ番号を入力し、当該相手先ＦＡＸ番号宛てに原稿データの送信を行なうようになっている。そして、この相手先ＦＡＸ番号の入力の際に、ワンタッチキーや短縮キーを使用せずにテンキー等でＦＡＸ番号を直接入力する場合は、操作者が記憶しているＦＡＸ番号を入力するか、ＦＡＸ番号が記載されたメモなどの資料を作成しておき、これを参照しながら入力する必要があった。
【特許文献１】特開平２−２０００５８号公報
【発明の開示】
【発明が解決しようとする課題】
【０００３】
しかしながら、上記のような方法でＦＡＸ番号を直接入力すると、操作者によるＦＡＸ番号の記憶違いや書き写し間違い等によって、間違ったＦＡＸ番号を入力してしまうおそれがあった。また、ＦＡＸ番号を記載したメモなどの資料を用意すると手間が掛かるという問題もあった。
【０００４】
本発明は上述の点に鑑みてなされたものでありその目的は、簡単な手順で正確な相手先ＦＡＸ番号等のデータを入力できるファクシミリ装置を提供することにある。
【課題を解決するための手段】
【０００５】
上記課題を解決するため本願の請求項１に記載の発明は、通信ネットワークを介して他の端末装置と接続され、前記他の端末装置からデータを受信するデータ受信機能を備えたファクシミリ装置において、ファクシミリ送信動作を開始する専用キーと、相手先ＦＡＸ番号のデータを格納する専用キー用メモリーとを備え、前記専用キーが押されることにより、前記専用キー用メモリーに格納された相手先ＦＡＸ番号へのファクシミリ送信動作を開始するように構成すると共に、前記通信ネットワークを介して他の端末装置から入力された相手先ＦＡＸ番号のデータを前記専用キー用メモリーに格納する制御手段を備えたことを特徴とする。
【０００６】
本願の請求項２に記載の発明は、請求項１に記載のファクシミリ装置において、登録された相手先ＦＡＸ番号へのファクシミリ送信動作を開始する短縮キーと、前記短縮キーに登録されている相手先ＦＡＸ番号のデータを格納する短縮キー用メモリーとを備えると共に、前記制御手段は、前記専用キー用メモリーに格納されている相手先ＦＡＸ番号のデータを前記短縮キー用メモリーに格納して、前記相手先ＦＡＸ番号を前記短縮キーに登録することを特徴とする。
【０００７】
本願の請求項３に記載の発明は、請求項２に記載のファクシミリ装置において、前記制御手段は、前記専用キーが押された際に、前記専用キー用メモリーに格納されている相手先ＦＡＸ番号へのファクシミリ送信を行い、当該ファクシミリ送信が成功した場合に、前記専用キー用メモリーに格納されている相手先ＦＡＸ番号のデータを前記短縮キー用メモリーに格納することを特徴とする。
【０００８】
本願の請求項４に記載の発明は、請求項１乃至３のいずれかに記載のファクシミリ装置において、前記他の端末装置は、前記ファクシミリ装置にＬＡＮを介して接続されたパーソナルコンピュータ端末装置であることを特徴とする。
【発明の効果】
【０００９】
本願請求項１に記載の発明によれば、ファクシミリ送信動作を開始する専用キーと、相手先ＦＡＸ番号のデータを格納する専用キー用メモリーとを備え、専用キーが押されることにより、専用キー用メモリーに格納された相手先ＦＡＸ番号へのファクシミリ送信動作を開始するように構成すると共に、通信ネットワークを介して他の端末装置から入力された相手先ＦＡＸ番号のデータを専用キー用メモリーに格納する制御手段を備えたので、ＬＡＮ等の通信ネットワークを介して他の端末装置から入力された相手先ＦＡＸ番号を、ファクシミリ装置の送信動作を開始するための専用キーに割り当てることができる。したがって、ファクシミリ送信をする操作者は、相手先ＦＡＸ番号の入力をファクシミリ装置で行なうのではなく、通信ネットワーク上の他の端末装置から行なえるので、記憶しているＦＡＸ番号を入力したり、メモなどの資料を参照しながら入力したりする必要がなくなる。これにより、入力者の記憶違いや書き写し間違い等で間違ったＦＡＸ番号を入力するおそれがなくなる。また、ＦＡＸ番号を記載したメモなどの資料を用意する手間が省ける。
【００１０】
本願請求項２に記載の発明によれば、登録された相手先ＦＡＸ番号へのファクシミリ送信動作を開始する短縮キーと、短縮キーに登録されている相手先ＦＡＸ番号のデータを格納する短縮キー用メモリーとを備えると共に、制御手段は、専用キー用メモリーに格納されている相手先ＦＡＸ番号のデータを短縮キー用メモリーに格納して短縮キーに登録するので、通信ネットワークを介して他の端末装置から入力された相手先ＦＡＸ番号を、ファクシミリ装置の短縮キーに割り当てて短縮登録することができる。
【００１１】
本願の請求項３に記載の発明によれば、制御手段は、専用キーが押された際に、専用キー用メモリーに格納されている相手先ＦＡＸ番号へのファクシミリ送信を行い、当該ファクシミリ送信が成功した場合に、専用キー用メモリーに格納されている相手先ＦＡＸ番号のデータを短縮キー用メモリーに格納するので、他の端末装置から入力されたＦＡＸ番号へのファクシミリ送信が可能であることを確認した上で、当該ＦＡＸ番号を短縮登録することができる。
【００１２】
本願請求項４に記載の発明によれば、他の端末装置は、ファクシミリ装置とＬＡＮを介して接続されたパーソナルコンピュータ端末装置なので、簡単な構成で、正確なＦＡＸ番号の入力を容易に行なえるファクシミリ装置となる。
【発明を実施するための最良の形態】
【００１３】
以下、本発明の実施形態を図面に基づいて詳細に説明する。図１及び図２は、それぞれ本発明の一実施形態に係る通信ネットワークであるＬＡＮ（Local Area Network）４０を介して互いに接続されたファクシミリ装置１とＰＣ（パーソナルコンピュータ）端末装置２０の構成を示すブロック図である。図１に示すファクシミリ装置１は、コピー機能とファクシミリ機能を兼ね備えたいわゆる複合機であり、同図に示すように主制御部（ＣＰＵ）２、ＮＣＵ（網制御回路：Network Control Unit）３、モデム４、操作部５、表示部６、ＲＯＭ７、ＲＡＭ８、記憶部９、画像読取部１０、画像メモリ１１、ＣＯＤＥＣ（符号化・復号器： Coder and Decoder）１２、画像記録部１３、ＬＡＮインターフェイス（ＬＡＮＩ／Ｆ）１４の各部を備え、これら各部が内部バス１５を経由して互いに接続されている。また、図２に示すＰＣ端末装置２０は、汎用のパーソナルコンピュータ端末であり、主制御部（ＣＰＵ）２１、入力部２２、表示部２３、ＲＯＭ２４、ＲＡＭ２５、記憶部２６、ＬＡＮインターフェイス（ＬＡＮＩ／Ｆ）２７、出力部２８、外部媒体読取部２９などの各部を備え、これらが内部バス３０を経由して互いに接続されている。これらの図ではファクシミリ装置１とＰＣ端末装置２０を各一台ずつ記載しているが、実際は一のファクシミリ装置１に対して一又は複数のＰＣ端末装置２０がＬＡＮ４０を介して接続されている。
【００１４】
まず、ファクシミリ装置１の各部の構成及び機能について説明する。主制御部２は、ＲＯＭ７に格納されているプログラムに従い、ファクシミリ装置１の各部を統括制御する機能を備えている。また主制御部２は、ＬＡＮ４０を経由してＰＣ端末装置２０から入力された相手先ＦＡＸ番号等のデータを、ＲＡＭ８上に設けられた専用キー用メモリー（専用キー用メモリーエリア）８ａに格納する機能、下記の専用キー５ａが操作された際に、専用キー用メモリー８ａに格納されている相手先ＦＡＸ番号のファクシミリ装置へのファクシミリ送信を開始する機能、専用キー用メモリー８ａに格納されている相手先ＦＡＸ番号等のデータを記憶部９に設けられた短縮キー用メモリー（短縮キー用メモリーエリア）９ａに格納する機能、などを備えている。
【００１５】
ＮＣＵ３は、主制御部２により制御されて、通信回線である公衆電話回線網（ＰＳＴＮ）１６との接続を制御するとともに、通信相手先のＦＡＸ番号又は電話番号に応じたダイヤルパルスを送出する機能、及び着信を検出する機能を備えている。
【００１６】
モデム４は、公衆電話回線網１６に接続される通常のファクシミリ通信機能を有するファックスモデムである。このモデム４は、ＮＣＵ３を経由して公衆電話回線網１６との間で送受信データを受渡しするために、デジタル信号である送信データをアナログの音声信号に変調する機能や、公衆電話回線網１６からＮＣＵ３を経由して受信したアナログの音声信号をデジタル信号の受信データに復調する機能を備えている。
【００１７】
操作部５は、ファクシミリ装置１が備える操作パネル（図示せず）上に配設された各種の入力キー等を備えている。これら入力キーには、ＦＡＸ番号の数字（＊や♯等の記号を含む）を入力するテンキーや、文字、記号等を入力する文字入力キー等がある。また、ＬＡＮ４０経由で入力された相手先ＦＡＸ番号へのファクシミリ送信を開始するための専用キー５ａが設けられている。この専用キー５ａは、当該専用キーとしての機能のみを有するキーとして設置しても良いし、ワンタッチキーなど他の機能を有するキーに当該専用キーとしての機能を割り当てて使用することも可能である。また操作部５には、短縮登録されているＦＡＸ番号を呼び出す短縮キー５ｂが設置されている。短縮キー５ｂには登録したＦＡＸ番号を呼び出す短縮番号が割り振られている。また操作部５には、ファクシミリ送信動作を開始するスタートキー等も設置されている。
【００１８】
表示部６は、ファクシミリ装置１の動作状態等の各種情報を表示するほか、入力されたＦＡＸ番号を表示したり、操作者に次の操作を指示するオペレーションなどを表示する。この表示部６には、操作パネル上に設置した液晶表示装置（ＬＣＤ）が用いられる。表示部６には、タッチセンサ式の液晶表示装置を採用してもよい。表示部６がタッチセンサ式の液晶表示装置である場合は、上記の操作部５の入力キー、専用キー５ａ、短縮キー５ｂ等をこのタッチセンサ式の液晶表示装置に設けることも可能である。
【００１９】
ＲＯＭ７には、主制御部２によって実行されるファクシミリ送受信処理などのファクシミリ装置１の動作に必要な種々のプログラムが格納されている。ＲＡＭ８は、主制御部２のワーキングエリアとして使用されるもので、ＳＲＡＭ、ＤＲＡＭ、ＳＤＲＡＭ等で構成されている。このＲＡＭ８は、プログラムの実行時に発生するデータなど主制御部２による制御時に記憶が必要なデータを一時的に格納する。またＲＡＭ８上には、ＬＡＮ４０を経由してＰＣ端末装置２０から入力された相手先ＦＡＸ番号等のデータを一時的に格納する専用キー用メモリー８ａが設けられている。記憶部９は、ハードディスクドライブ又はフラッシュメモリ等で構成された記録媒体を内蔵する記憶装置である。この記憶部９には、短縮キー５ｂに登録された相手先ＦＡＸ番号等のデータを格納する短縮キー用メモリー９ａが設けられている。また、上記の専用キー用メモリー８ａは記憶部９に設けてもよい。
【００２０】
画像読取部１０は、ＣＣＤ等を利用したスキャナで原稿を読み取り、白黒２値に変換したドット画像データを出力する。画像メモリ１１は、画像読取部１０で読み取った画像データを符号化し、圧縮状態で記憶する。ＣＯＤＥＣ１２は、読み取った画像データを送信又は記憶するために、ＭＨ、ＭＲ、ＭＭＲ方式等により符号化（エンコード）する。また圧縮符号化された状態で受信した画像データを画像記録部１３で記録するために復号（デコード）する。画像記録部１３は、例えば電子写真方式のプリンタ装置であり、他のファクシミリ装置からファクシミリ通信で受信した受信画像データや、コピー機能により画像読取部１０で読み取られた原稿の画像データを記録紙上に記録する。ＬＡＮＩ／Ｆ１４は、ＬＡＮ４０に接続され、ＬＡＮ４０からの信号やデータを受信する一方、ＬＡＮ４０に対して信号やデータを送信して信号変換やプロトコル変換などのＬＡＮ通信に係るインターフェィス処理を実行する。ファクシミリ装置１は、このＬＡＮＩ／Ｆ１４によってＬＡＮ４０経由でＰＣ端末装置２０と接続され、ＰＣ端末装置２０からデータを受信することができる。
【００２１】
次に、図２に示すＰＣ端末装置２０の各部の構成及び機能について説明する。主制御部２１はＣＰＵで構成されており、ＰＣ端末装置２０の各部を制御するほか、記憶部２６に格納されているソフトウェアの機能として、ファクシミリ装置１へＦＡＸ番号等のデータを送信する送信動作を実行する。入力部２２は、キーボードやマウス等の入力装置であり、文字データや指示コマンドを入力する。表示部２３は、液晶表示装置（ＬＣＤ）又はＣＲＴディスプレイ等の表示装置である。
【００２２】
ＲＯＭ２４は、ＰＣ端末装置２０の動作に必要な種々のプログラムを予め格納している。また、ＲＡＭ２５は、ＳＲＡＭ、ＤＲＡＭ、ＳＤＲＡＭ等で構成され、主制御部２１のワーキングエリアとして使用されて、プログラムの実行時に発生する一時的なデータを記憶する。記憶部２６は、ハードディスクドライブ等で構成された記録媒体を内蔵する記憶装置であり、ＯＳ（Operating System）や、ブラウザソフトや、ＦＡＸ番号等のデータをファクシミリ装置１へ送信する機能を備えたソフトウェア等を格納しているほか、送信相手先のＦＡＸ番号が掲載されたリスト等のデータ情報を記憶しておくこともできる。ＬＡＮＩ／Ｆ２７は、ＬＡＮ４０に接続され、ファクシミリ装置１が備えるＬＡＮＩ／Ｆ１４と同様の機能を備えている。出力部２８はプリンタなどの出力用機器からなる。外部媒体読取部２９は、ディスケットやフラッシュメモリ等に記憶されたデータをＰＣ端末装置２０に読み込むもので、例えばディスケットに保存されている相手先ＦＡＸ番号のリスト等のデータ情報を読み込むことができる。
【００２３】
次に、ＰＣ端末装置２０でファクシミリ装置１に相手先ＦＡＸ番号等のデータを入力し、ファクシミリ送信を行う手順を説明する。図３は、ＰＣ端末装置２０で相手先ＦＡＸ番号等のデータを入力する際の表示部２３の表示例を示す図である。相手先ＦＡＸ番号の入力は、ＰＣ端末装置２０に格納されているファクシミリ装置１へのデータ転送用ソフトウェアの機能を用いて行われる。この場合は、同図に示す表示画面の空欄５０に相手先ＦＡＸ番号を入力した後、「ＦＡＸへ転送」コマンド５１を実行することで、入力したＦＡＸ番号のデータがＬＡＮ４０を経由してファクシミリ装置１へ転送される。なおこれ以外にも、ブラウザソフト等を用いてＦＡＸ番号のデータを入力してファクシミリ装置１へ転送するようにしてもよい。またこのとき入力するデータは相手先ＦＡＸ番号のみでなく、相手先名称等も一緒に入力してファクシミリ装置１へ転送できるようにしてもよい。以下では、相手先ＦＡＸ番号と相手先名称が入力された場合を説明する。
【００２４】
ここで、図４のフローチャートを参照してファクシミリ装置１の動作を説明する。ファクシミリ装置１では、ＰＣ端末装置２０からＬＡＮ４０を経由して転送された相手先ＦＡＸ番号のデータをＬＡＮＩ／Ｆ１４から入力し（ステップＳＴ１）、同じく転送された相手先名称のデータをＬＡＮＩ／Ｆ１４から入力する（ステップＳＴ２）。これら入力された相手先ＦＡＸ番号と相手先名称のデータを、専用キー用メモリー８ａに一時的に格納する（ステップＳＴ３）。これにより当該ＦＡＸ番号と相手先名称が、専用キー５ａに割り当てられた状態になる。その状態で、所定時間（例えば３分間）待機して、専用キー５ａが操作されるのを待つ（ステップＳＴ４、ステップＳＴ５）。所定時間内に専用キー５ａの操作が行なわれなかった場合は（ステップＳＴ５）、専用キー用メモリー８ａに格納されている相手先ＦＡＸ番号と相手先名称のデータを消去して（ステップＳＴ８）、終了する。一方、所定時間内に専用キー５ａの操作が行なわれた場合は、専用キー用メモリー８ａに格納されている相手先ＦＡＸ番号へのダイヤル動作を行い、当該相手先へファクシミリ送信を行う（ステップＳＴ６）。
【００２５】
相手先ＦＡＸ番号へのファクシミリ送信が成功したら（ステップＳＴ７）、専用キー用メモリーに格納されている相手先ＦＡＸ番号と相手先名称のデータを短縮登録するか否かの指示を受けるためのオペレーションを表示部６に表示する（ステップＳＴ９）。短縮登録する旨の指示が入力された場合（ステップＳＴ１０）は、専用キー用メモリー８ａに格納されている相手先ＦＡＸ番号と相手先名称のデータを、空いている短縮番号又は指定された短縮番号に対応する短縮キー５ｂの短縮キー用メモリー９ａに格納する（ステップＳＴ１１）。一方、ステップＳＴ７で、相手先ＦＡＸ番号が間違っている等の理由でファクシミリ送信が成功しなかった場合や、ステップＳＴ１０で、相手先ＦＡＸ番号や相手先名称のデータを短縮登録しない旨の指示を受けた場合は、専用キー用メモリー８ａに格納されている相手先ＦＡＸ番号と相手先名称のデータを消去して（ステップＳＴ８）、動作を終了する。
【００２６】
このファクシミリ装置１によれば、ＬＡＮ４０を経由してＰＣ端末装置２０から転送された相手先ＦＡＸ番号等のデータを、一時的に専用キー用メモリー８ａに格納して専用キー５ａに割り当てることができる。したがって、ファクシミリ送信をする操作者は、相手先ＦＡＸ番号の入力をファクシミリ装置１で行なうのではなく、ＬＡＮ４０に接続された他のＰＣ端末装置２０から行なえるので、ＦＡＸ番号等を記憶して入力したり、メモなどの資料を参照しながら入力したりする必要がなくなる。これにより、操作者の記憶違いや書き写し間違い等で、間違った番号を入力するおそれがなくなる。また、ＦＡＸ番号を記載したメモなどの資料を用意する手間が省ける。また操作者は、ＰＣ端末装置２０から転送されたＦＡＸ番号がファクシミリ装置１の専用キー５ａに登録されている感覚で、この専用キー５ａを操作して簡単にファクシミリ送信を行うことができる。
【００２７】
また、専用キー用メモリー８ａに格納されている相手先ＦＡＸ番号等のデータを短縮キー用メモリー９ａに格納することができるので、ＬＡＮ４０を経由してＰＣ端末装置２０から入力された相手先ＦＡＸ番号等のデータを、ファクシミリ装置１の短縮キー５ｂに直接登録することができる。さらに、この短縮キー用メモリー９ａへの格納を、専用キー５ａが操作された際のファクシミリ送信が成功した場合に行なうようにすることで、ＰＣ端末装置２０から入力されたＦＡＸ番号へのファクシミリ送信が可能であることを確認した上で、当該ＦＡＸ番号を短縮登録することができる。
【００２８】
上記の専用キー５ａは、複数設置することもできる。その場合は、ＰＣ端末装置２０から転送された複数の相手先ＦＡＸ番号をそれぞれの専用キー５ａに割り当てることが可能である。また、専用キー５ａを複数設置する以外にも、一個の専用キー５ａを複数回押すことで、専用キー用メモリー８ａに格納されている複数のＦＡＸ番号を順に切り替えて呼び出すことができる機能を備えるようにしてもよい。
【００２９】
また原稿を複数の相手先に同報配信する場合などは、ＰＣ端末装置２０から複数の相手先ＦＡＸ番号が掲載されたリスト等のデータ情報を入力し、当該リストの相手先ＦＡＸ番号を専用キー用メモリー８ａに格納してファクシミリ送信を行うことも可能である。また上記の実施形態では、専用キー用メモリー８ａに格納されているＦＡＸ番号等のデータを短縮キー５ｂに登録する場合を説明したが、これ以外にも、専用キー用メモリー８ａに格納されているＦＡＸ番号等のデータを、ワンタッチキー等の他の機能を有するキーに登録するようにしてもよい。
【００３０】
以上本発明の実施形態を説明したが、本発明は上記実施形態に限定されるものではなく、特許請求の範囲、及び明細書、図面に記載された技術的思想の範囲内において種々の変形が可能である。例えば、本発明でいう通信ネットワークはＬＡＮ４０に限らず、ファクシミリ装置１とＰＣ端末装置２０が接続される通信ネットワークであれば、ＳＣＳＩやＵＳＢ等のケーブル接続やワイヤレス接続による通信ネットワークでもよいし、インターネットなどの通信ネットワークでもよい。また、ファクシミリ装置１と通信ネットワークを介して接続される他の端末装置は、ＰＣ端末装置２０に限らず他のコンピュータ機器や通信機能を備えた通信端末装置等であってもよい。
【図面の簡単な説明】
【００３１】
【図１】本発明の一実施形態に係るＬＡＮ４０を介してＰＣ端末装置２０と接続されたファクシミリ装置１の構成を示すブロック図である。
【図２】本発明の一実施形態に係るＬＡＮ４０を介してファクシミリ装置１と接続されたＰＣ端末装置２０の構成を示すブロック図である。
【図３】相手先ＦＡＸ番号を入力するＰＣ端末装置２０の表示部２３の表示例を示す図である。
【図４】ファクシミリ装置１における動作手順を説明するためのフローチャートである。
【符号の説明】
【００３２】
１    ファクシミリ装置
２    主制御部（ＣＰＵ）
３    ＮＣＵ（網制御回路）
４    モデム
５    操作部
５ａ  専用キー
５ｂ  短縮キー
６    表示部
７    ＲＯＭ
８    ＲＡＭ
８ａ  専用キー用メモリー
９    記憶部
９ａ  短縮キー用メモリー
１０  画像読取部
１１  画像メモリ
１２  ＣＯＤＥＣ
１３  画像記録部
１４  ＬＡＮＩ／Ｆ
１５  内部バス
１６  公衆電話回線網（ＰＳＴＮ）
２０  ＰＣ端末装置
２１  主制御部（ＣＰＵ）
２２  入力部
２３  表示部
２４  ＲＯＭ
２５  ＲＡＭ
２６  記憶部
２７  ＬＡＮＩ／Ｆ
２８  出力部
２９  外部媒体読取部
３０  内部バス
４０  ＬＡＮ（通信ネットワーク）
【図１】
2007288453.tif 000003
【図２】
2007288453.tif 000004
【図３】
2007288453.tif 000005
【図４】
2007288453.tif 000006